(57)【要約】【課題】電線の接続状況を使用者に正確に報知できる端子台を提供すること。【解決手段】端子台が、第３開口部（１１３）において、導体部と端子電極部（２０）とが接続状態であるか非接続状態であるかを表示する状態表示部（４０）と、端子接続面（１１）に交差する方向に往復移動可能な本体部（５１）と、第１開口部（１１１）から収容部（１２）に挿入された導体部と接触可能な接触部（５２）と、第１開口部（１１１）から収容部（１２）に導体部が挿入されたときに端子接続面（１１）に向かって本体部（５１）を移動させる力伝達部（５３）と、本体部（５１）の往復移動に応じて状態表示部（４０）の表示を接続状態と非接続状態との間で変更可能に状態表示部（４０）を回動させる回動機構部（５４，５５）とを有する表示用可動部材（５０）と、を備える。【選択図】図２
2018142527.tif 000002
【特許請求の範囲】
【請求項１】
電線の導体部が挿抜可能な第１開口部、前記第１開口部に隣接しかつ治具が挿抜可能な第２開口部、および、第３開口部が直線的に並んで設けられた端子接続面と、内部に設けられかつ前記第１開口部、前記第２開口部、および、前記第３開口部に接続された収容部とを有する絶縁性のハウジングと、
前記収容部に配置されかつ前記第１開口部から前記収容部に挿入された前記導体部が接触可能な端子電極部と、
前記ハウジングに固定された一端の固定部と、前記固定部に対して弾性変形可能な他端の弾性部とを有し、前記弾性部が、前記第１開口部から前記収容部に挿入された前記導体部を前記端子電極部との間で挟持して前記導体部と前記端子電極部とを接続状態にすると共に、前記第２開口部から前記収容部に挿入された前記治具に接触し前記弾性部と前記導体部との接触を解除して前記導体部と前記端子電極部とを非接続状態にするように、前記収容部内に配置された板ばねと、
前記収容部の前記端子接続面の近傍に配置されかつ前記端子接続面の前記第１開口部から前記第３開口部までの並んだ方向に対して交差する方向に延びる回動軸まわりを回動可能に前記ハウジングに支持されていると共に、前記第３開口部において、前記導体部と前記端子電極部とが前記接続状態であるか前記非接続状態であるかを表示する状態表示部と、
前記端子接続面に交差する方向に沿って延びかつ前記端子接続面に交差する方向に往復移動可能な本体部と、前記本体部の前記端子電極部の近傍に配置されかつ前記第１開口部から前記収容部に挿入された前記導体部と接触可能な接触部と、前記本体部に接続されかつ前記第１開口部から前記収容部に前記導体部が挿入されたときに前記端子接続面に向かって前記本体部を移動させる力伝達部と、前記本体部の前記端子接続面の近傍でかつ前記状態表示部の近傍に配置されて前記本体部の往復移動に応じて前記状態表示部の表示を前記接続状態と前記非接続状態との間で変更可能に前記状態表示部を回動させる回動機構部とを有し、前記収容部に配置された表示用可動部材と、
を備える、端子台。
【請求項２】
前記状態表示部が、
外周の一部に設けられかつ中心軸に沿って延びる切欠部を有し、前記中心軸が前記回動軸を構成する円柱体と、
前記切欠部の前記外周の中間部に設けられ前記回動軸に交差する方向に突出する突出部と、
を有し、
前記表示用可動部材の前記回動機構部が、
前記端子接続面の前記第１開口部から前記第３開口部までの並んだ方向にそれぞれ延びていると共に、相互に間隔を空けてかつ前記本体部の往復移動により前記突出部にそれぞれ個別に接触可能に配置された第１爪部および第２爪部を有し、
前記本体部の往復移動する方向において前記第１爪部が前記第２爪部よりも前記端子接続面の近くに配置され、前記第１爪部と前記第２爪部との間に前記突出部が配置されて、前記第１爪部および前記第２爪部のうちのいずれか一方が前記突出部と接触可能であり、
前記本体部が前記端子接続面から離れる方向に移動することにより前記第１爪部が前記切欠部内で前記突出部と接触して前記接続状態を表示するように前記状態表示部を回動させ、前記本体部が前記端子接続面に近づく方向に移動することにより前記切欠部内で前記第１爪部が前記突出部から離れて前記第２爪部が前記突出部と接触して前記非接続状態を表示するように前記状態表示部を回動させる、請求項１に記載の端子台。
【請求項３】
前記表示用可動部材の前記本体部が、前記切欠部を通って前記端子接続面から離れる方向に移動することにより、前記第１爪部が前記切欠部内で前記突出部と接触し、前記本体部が、前記切欠部を通って前記端子接続面に近づく方向に移動することにより、前記切欠部内で前記第１爪部が前記突出部から離れて前記第２爪部が前記突出部と接触するように配置されている、請求項２に記載の端子台。
【請求項４】
前記状態表示部が、前記切欠部以外の前記円柱体の前記外周に前記接続状態であることを表示する接続表示領域を有し、
前記接続表示領域が、前記接続状態において、前記第３開口部の少なくとも一部から露出するように配置されている、請求項２または３に記載の端子台。
【請求項５】
前記状態表示部の前記円柱体の前記外周の一部が、前記第３開口部から前記ハウジングの外部に突出している、請求項２から４のいずれか１つに記載の端子台。
【請求項６】
前記収容部の前記端子電極部の近傍に配置されかつ前記端子接続面の前記第１開口部から前記第３開口部までの並んだ方向に対して交差する方向に延びる回動軸周りに回動可能に前記ハウジングに支持されていると共に、前記導体部の前記第１開口部から前記収容部への挿入に伴って回動して操作感を発生させる操作感発生用可動部材と、
前記導体部と前記端子電極部とが前記非接続状態から前記接続状態になった以降に、前記導体部の前記第１開口部から前記収容部への挿入により回動中の前記操作感発生用可動部材と接触可能に、前記収容部に配置されている第１突起部と、
を備え、
前記操作感発生用可動部材が、
前記第１開口部から前記収容部に挿入された前記導体部と接触可能な第１接触部と、
前記第２開口部から前記収容部に挿入された前記治具と前記弾性部を介して接触回動可能であると共に、前記第１突起部と接触して操作感を発生させる第２突起部を有する第２接触部と、
を有する、請求項１から５のいずれか１つに記載の端子台。
【請求項７】
前記ハウジングの前記第３開口部が、前記第２開口部に隣接するように配置されている、請求項１に記載の端子台。
【請求項８】
前記表示用可動部材の前記接触部が、前記本体部の延在方向に対して交差し、かつ、前記端子接続面に接近するにつれて前記本体部から離れるように延びていると共に、前記接触部の延在方向の前記本体部側の端部に、前記ハウジングと接触して前記表示用可動部材の回動支点となる回動支点部が設けられ、
前記接触部が前記力伝達部を兼ねている、請求項７に記載の端子台。
【発明の詳細な説明】
【技術分野】
【０００１】
本発明は、プッシュイン接続式の端子台に関する。
【背景技術】
【０００２】
特許文献１には、電線を挿抜可能な開口部およびこの開口部に隣接して配置された確認窓を有する端子接続面と、内部に設けられかつ開口部に接続された収容部とを有するハウジングを備えた端子台が開示されている。前記端子台では、電線の挿抜に応じて、収容部の端子接続面に交差する方向における略中心に回動軸周りに回動する長尺の表示体が収容部に設けられている。この表示体には、長手方向の一端に設けられかつ表示体の回動により確認窓から露出可能に配置された表示部が一体に設けられ、この表示部が確認窓から露出しているか否かによって、電線の接続状況が使用者に報知されるようになっている。
【先行技術文献】
【特許文献】
【０００３】
【特許文献１】実用新案登録第３０９８９３７号公報
【発明の概要】
【発明が解決しようとする課題】
【０００４】
しかし、前記端子台では、表示体の回動軸からの表示部までの距離が長く、例えば、小型の端子台では、収容部に表示部の回動領域を十分に確保できない場合がある。この場合、電線の接続状況にかかわらず表示部が確認窓から常に露出してしまい、正確な電線の接続状況を使用者に報知できないおそれがある。
【０００５】
そこで、本発明は、電線の接続状況を使用者に正確に報知できる端子台を提供することを課題とする。
【課題を解決するための手段】
【０００６】
本発明の一態様の端子台は、
電線の導体部が挿抜可能な第１開口部、前記第１開口部に隣接しかつ治具が挿抜可能な第２開口部、および、第３開口部が直線的に並んで設けられた端子接続面と、内部に設けられかつ前記第１開口部、前記第２開口部、および、前記第３開口部に接続された収容部とを有する絶縁性のハウジングと、
前記収容部に配置されかつ前記第１開口部から前記収容部に挿入された前記導体部が接触可能な端子電極部と、
前記ハウジングに固定された一端の固定部と、前記固定部に対して弾性変形可能な他端の弾性部とを有し、前記弾性部が、前記第１開口部から前記収容部に挿入された前記導体部を前記端子電極部との間で挟持して前記導体部と前記端子電極部とを接続状態にすると共に、前記第２開口部から前記収容部に挿入された前記治具に接触し前記弾性部と前記導体部との接触を解除して前記導体部と前記端子電極部とを非接続状態にするように、前記収容部内に配置された板ばねと、
前記収容部の前記端子接続面の近傍に配置されかつ前記端子接続面の前記第１開口部から前記第３開口部までの並んだ方向に対して交差する方向に延びる回動軸まわりを回動可能に前記ハウジングに支持されていると共に、前記第３開口部において、前記導体部と前記端子電極部とが前記接続状態であるか前記非接続状態であるかを表示する状態表示部と、
前記端子接続面に交差する方向に沿って延びかつ前記端子接続面に交差する方向に往復移動可能な本体部と、前記端子電極部の近傍に配置されかつ前記第１開口部から前記収容部に挿入された前記導体部と接触可能な接触部と、前記本体部に接続されかつ前記第１開口部から前記収容部に前記導体部が挿入されたときに前記端子接続面に向かって前記本体部を移動させる力伝達部と、前記本体部の前記端子接続面の近傍でかつ前記状態表示部の近傍に配置されて前記本体部の往復移動に応じて前記状態表示部の表示を前記接続状態と前記非接続状態との間で変更可能に前記状態表示部を回動させる回動機構部とを有し、前記収容部に配置された表示用可動部材と、
を備える。
【発明の効果】
【０００７】
前記態様の端子台によれば、第３開口部において、導体部と端子電極部とが接続状態であるか非接続状態であるかを表示する状態表示部を備えている。これにより、例えば、小型の端子台であっても、収容部に状態表示部の回動領域を確保でき、正確な電線の接続状況を使用者に報知できる。
【図面の簡単な説明】
【０００８】
【図１】本発明の第１実施形態の端子台の斜視図。
【図２】図１の端子台の正面図。
【図３】図１の端子台に電線の導体部を挿入した状態の正面図。
【図４】図１の端子台に電線の導体部と治具とを挿入した状態の正面図。
【図５】図１の端子台の端子電極部の斜視図。
【図６】図１の端子台の表示用可動部材の斜視図。
【図７】図１の端子台の状態表示部の斜視図。
【図８】図１の端子台の変形例の正面図。
【図９】図８の端子台の端子電極部の斜視図。
【図１０】図８の端子台の表示用可動部材の斜視図。
【図１１】図８の端子台の状態表示部の斜視図。
【図１２】本発明の第２実施形態の端子台の斜視図。
【図１３】図１２の端子台の正面図。
【図１４】図１２の端子台の操作感用可動部材の斜視図。
【図１５】図１２の端子台に電線の導体部を挿入した状態の正面図。
【図１６】図１２の端子台に電線の導体部と治具とを挿入した状態の正面図。
【図１７】図１２の端子台の操作感を説明するための図。
【図１８】図１２の端子台の変形例の正面図。
【図１９】図１８の端子台の操作感用可動部材の斜視図。
【図２０】図１６の端子台に電線の導体部を挿入した状態の正面図。
【図２１】図１６の端子台に電線の導体部と治具とを挿入した状態の正面図。
【図２２】本発明の第３実施形態の端子台の平面図。
【図２３】図１９の端子台に電線の導体部を挿入した状態の正面図。
【図２４】図１９の端子台に電線の導体部と治具とを挿入した状態の正面図。
【図２５】本発明の第４実施形態の端子台の斜視図。
【図２６】図２５の端子台の正面図。
【図２７】図２５の端子台の端子電極部を取り除いた状態の正面図。
【図２８】図２５の端子台の端子電極部の斜視図。
【図２９】図２５の端子台の状態表示部の斜視図。
【図３０】図２５の端子台の表示用可動部材の斜視図。
【図３１】図２５の端子台に電線の導体部を挿入した状態の正面図。
【図３２】図２５の端子台に電線の導体部を挿入する前の状態の状態表示部近傍の拡大図。
【図３３】図２５の端子台に電線の導体部を挿入した後の状態の状態表示部近傍の拡大図。
【発明を実施するための形態】
【０００９】
以下、本発明の一実施形態を添付図面に従って説明する。なお、以下の説明では、必要に応じて特定の方向あるいは位置を示す用語（例えば、「上」、「下」、「右」、「左」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１０】
（第１実施形態）
第１実施形態の端子台１は、図１に示すように、矩形箱状を有する絶縁性のハウジング１０を備えている。このハウジング１０は、電線８０の導体部８１（図６および図７に示す）を挿抜可能な第１開口部１１１、治具９０（図７に示す）が挿抜可能な第２開口部１１２、および、第３開口部１１３が設けられた端子接続面１１を有している。
【００１１】
前記端子台１では、端子接続面１１は、ハウジング１０の上部の矩形面（すなわち、図１の上面）であり、第１開口部１１１、第２開口部１１２、および、第３開口部１１３は、端子接続面１１の長手方向に沿って間隔を開けてかつ直線的に並んで設けられている。第１開口部１１１は、第２開口部１１２および第３開口部１１３の間に配置されている。すなわち、第２開口部１１２および第３開口部１１３の各々は、第１開口部１１１に隣接している。
【００１２】
ハウジング１０は、図２に示すように、端子接続面１１を有する第１壁部１０１と、第１壁部１０１に対向する第２壁部１０２と、第１壁部１０１および第２壁部１０２に略直交しかつ相互に対向する第３壁部１０３および第４壁部１０４とを有し、厚さ方向の一方の面（すなわち、図２の紙面貫通方向の手前側の面）が開口している。
【００１３】
また、ハウジング１０は、第１〜第４壁部１０１、１０２、１０３、１０４で囲まれた内部に設けられていると共に、第１開口部１１１、第２開口部１１２、および、第３開口部１１３に接続された収容部１２を有している。この収容部１２は、第１開口部１１１および第２開口部１１２が接続された第１領域１２１と、第３開口部１１３が接続された第２領域１２２とで構成されており、第１領域１２１には、端子電極部２０と板ばね３０とが収容され、第２領域１２２には、状態表示部４０と表示用可動部材５０とが収容されている。なお、第２壁部１０２の端子接続面１１に対向する内面を収容部１２の底面とする。
【００１４】
収容部１２の第１領域１２１と第２領域１２２とは、第１開口部１１１から端子接続面１１に交差（例えば、略直交）する方向（すなわち、図２の上下方向）に沿って端子電極部２０を支持するように延びている電線挿入ガイド壁部１３により仕切られている。また、電線挿入ガイド壁部１３と第２壁部１０２との間には、第１領域１２１と第２領域１２２とに繋がっている第１通路部１２３が設けられている。
【００１５】
収容部１２の第１領域１２１には、ハウジング１０の厚さ方向に沿った平面視において略台形状を有する傾斜壁部１４が設けられている。この傾斜壁部１４は、電線挿入ガイド壁部１３に対向し、かつ、電線挿入ガイド壁部１３に対して電線８０の挿入方向（すなわち、図２の上側から下側）に向かうに従い接近するように傾斜する板ばね用傾斜面１４１と、第３壁部１０３に対向し、かつ、電線挿入ガイド壁部１３に対して略平行に延びる第１隙間形成面１４２と、第２壁部１０２に対向し、かつ、第１隙間形成面１４２に略直交する方向に延びる第２隙間形成面１４３とを有している。
【００１６】
板ばね用傾斜面１４１と電線挿入ガイド壁部１３との間には、第１開口部１１１を介して電線８０の導体部８１が挿入される可能性がある領域である電線挿入領域１００と、第２開口部１１２を介して治具９０が挿入される可能性がある領域である治具挿入領域１１０とが設けられている。第１隙間形成面１４２と第３壁部１０３との間および第２隙間形成面１４３と第２壁部１０２との間には、端子電極部２０を配置可能な隙間１４４、１４５がそれぞれ設けられている。
【００１７】
なお、第２壁部１０２には、第２壁部１０２を端子接続面１１に交差（例えば、略直交）する方向に貫通してハウジング１０の外部に繋がっている２つの貫通孔１４６が設けられている。各貫通孔１４６は、後述する端子電極部２０の横板部２１の両端部に対応する第２壁部１０２の部分にそれぞれ配置されている。
【００１８】
収容部１２の第２領域１２２には、電線挿入ガイド壁部１３と第４壁部１０４とで構成され、端子接続面１１に交差（例えば、略直交）する方向に延びて第１通路部１２３と第３開口部１１３とに繋がっている第２通路部１２４が設けられている。この第２通路部１２４の第３開口部１１３近傍には、状態表示部４０を収容する表示収容部１２５が設けられている。
【００１９】
また、第２通路部１２４の第１通路部１２３と表示収容部１２５との間には、第１可動部材用傾斜面１２６と第２可動部材用傾斜面１２７とが設けられている。第１可動部材用傾斜面１２６は、端子接続面１１に交差する方向において、端子接続面１１を有する第１壁部１０１よりも第２壁部１０２の近くの第４壁部１０４に設けられ、端子接続面１１の第３開口部１１３に接近するにつれて電線挿入ガイド壁部１３から離れるように傾斜している。この第１可動部材用傾斜面１２６は、後述する表示用可動部材５０の弾性腕部５３に接触して、表示用可動部材５０を端子接続面１１に向かって付勢する付勢力を発生させる。また、第２可動部材用傾斜面１２７は、端子接続面１１に交差する方向において、第２壁部１０２よりも第１壁部１０１の近くの第４壁部１０４に設けられ、端子接続面１１の第３開口部１１３に接近するにつれて電線挿入ガイド壁部１３接近するように傾斜している。この第２可動部材用傾斜面１２７は、表示用可動部材５０の弾性腕部５３と接触して、表示用可動部材５０の端子接続面１１に向かう方向への移動を規制する。
【００２０】
端子電極部２０は、図２および図３に示すように、ハウジング１０の厚さ方向に沿った平面視において略Ｕ字形状を有する板状体で、端子接続面１１に対して略平行に延びる矩形板状の横板部２１と、この横板部２１の長手方向の両端から端子接続面１１に略直交する方向にそれぞれ延びる第１縦板部２２および第２縦板部２３とで構成されている。この端子電極部２０は、図２に示すように、横板部２１が、第２隙間形成面１４３と第２壁部１０２との間の隙間１４５に配置され、第１縦板部２２が、第１隙間形成面１４２と第３壁部１０３との間の隙間１４４に配置され、第２縦板部２３が、電線挿入ガイド壁部１３に沿って配置されている。
【００２１】
図３に示すように、端子電極部２０の幅方向の中央部には、端子電極部２０を板厚方向に貫通する矩形貫通孔２４が設けられている。この矩形貫通孔２４は、横板部２１と各縦板部２２、２３の一部とに亘って延びており、図２に示すように、後述する表示用可動部材５０の接触部５２が配置されている。第１縦板部２２には、締結部材（図示せず）により端子電極部２０をハウジング１０に固定するための固定用孔２５が設けられている。また、第２縦板部２３には、第１縦板部２２に向かって突出する突出部２６が設けられている。なお、第２縦板部２３の矩形貫通孔２４は、表示用可動部材５０の端子接続面１１に交差する方向の移動を妨げないように設けられている。
【００２２】
板ばね３０は、図２に示すように、一端の固定部３１と、固定部３１に対して弾性変形可能な他端の弾性部３２と、固定部３１と弾性部３２とを連結する湾曲部３３とを有している。固定部３１は、端子電極部２０の第１縦板部２２に固定されている。弾性部３２は、その板面が傾斜壁部１４の板ばね用傾斜面１４１に沿った形状を有し、その先端が端子電極部２０まで延びて突出部２６に接触している。この弾性部３２は、固定部３１に向かって、電線挿入領域１００を通過して（横切って）治具挿入領域１１０まで弾性変形可能に構成されている。
【００２３】
弾性部３２は、第１開口部１１１を介して収容部１２の第１領域１２１に挿入された電線８０の導体部８１を端子電極部２０の第２縦板部２３との間で挟持して、電線８０の導体部８１と端子電極部２０とを接続可能になっている（図６参照）。また、弾性部３２は、第２開口部１１２から収容部１２の第１領域１２１にされた治具９０と接触して、弾性部３２と電線８０の導体部８１との接触を解除可能になっている（図７参照）。
【００２４】
状態表示部４０は、図２に示すように、第３開口部１１３において、電線８０の導体部８１と端子電極部２０とが接続された接続状態であるか、電線８０の導体部８１と端子電極部２０との接続が解除された非接続状態であるかを表示する。この状態表示部４０は、収容部１２の第２領域１２２の表示収容部１２５に配置され、かつ、端子接続面１１の第１開口部１１１から第３開口部１１３までの並んだ方向に対して交差する方向（すなわち、図２の紙面貫通方向）に延びる回動軸４０１まわりを回動可能にハウジング１０に支持されている。
【００２５】
具体的には、状態表示部４０は、図４に示すように、中心軸が回動軸４０１を構成する円柱体４１と、この円柱体４１の外周の一部に設けられかつ中心軸に沿って延びる切欠部４５を有している。この切欠部４５における円柱体４１の外周の中間部には、回動軸４０１に交差（例えば、略直交）する方向に突出する突出部４２が設けられている。なお、回動軸４０１方向に沿った平面視における円柱体４１の面積に占める切欠部４５の比率は、１／２よりも小さくなっている。
【００２６】
また、切欠部４５以外の円柱体４１の回動軸４０１に対する外周面には、接続表示領域４３と非接続表示領域４４とが設けられている。接続表示領域４３は、例えば、赤色または黄色などの目立つ色で着色された領域であり、非接続表示領域４４は、例えば、円柱体４１の材料と同じ色で着色された領域（あるいは、状態表示部４０を円柱体４１と同じ材料で形成した場合、非着色の領域）である。状態表示部４０の外周面の一部は、図２に示すように、端子接続面１１からハウジング１０の外部に向かって僅かに突出している。
【００２７】
表示用可動部材５０は、図２に示すように、本体部５１と、接触部５２と、力伝達部の一例である付勢部の一例の弾性腕部５３と、回動機構部の一例の第１爪部５４および第２爪部５５とを有している。
【００２８】
本体部５１は、図２に示すように、端子接続面１１に交差（例えば、略直交）する方向に延びる略矩形板状を有し、端子接続面１１に交差する方向に往復移動可能に第２通路部１２４に配置されている。この本体部５１の略中央には、図５に示すように、本体部５１をその板厚方向に貫通する貫通孔５６が設けられている。
【００２９】
接触部５２は、図２に示すように、本体部５１の電線挿入ガイド壁部１３に対向する板面の長手方向の下端部から第１領域１２１に向かって突出するように設けられ、第１通路部１２３に配置されている。すなわち、この接触部５２は、本体部５１の端子電極部２０の近傍に配置されている。この接触部５２は、図５に示すように、矩形棒状を有し、その上面（すなわち、端子接続面１１に対向する面）に、接触面５２１を有している。この接触面５２１は、第１開口部１１１を介して収容部１２の第１領域１２１に挿入された電線８０の導体部８１と接触可能に配置されている。
【００３０】
第１開口部１１１から収容部１２の第１領域１２１に電線８０の導体部８１が挿入されると、電線８０の導体部８１と接触する接触部５２が端子接続面１１に交差しかつ端子接続面１１から離れる方向（すなわち、図２の下向き）に押圧される。これに伴って、本体部５１も接触部５２が端子接続面１１に交差しかつ端子接続面１１から離れる方向に押圧されて、第２壁部１０２に向かって移動する（図６参照）。
【００３１】
弾性腕部５３は、図５に示すように、本体部５１の貫通孔５６の上端縁部に接続され、本体部５１から第４壁部１０４に向かってかつ第２可動部材用傾斜面１２７に沿って延びている。この弾性腕部５３は、第１開口部１１１から収容部１２の第１領域１２１に電線８０の導体部８１が挿入されたときに端子接続面１１に向かって本体部５１を付勢する。詳しくは、第１開口部１１１から収容部１２の第１領域１２１に電線８０の導体部８１が挿入されて、本体部５１が第２壁部１０２に向かって移動すると、弾性腕部５３の先端が、第１可動部材用傾斜面１２６に接触して、本体部５１に向かって弾性変形する。この弾性腕部５３の弾性変形により、本体部５１が端子接続面１１に向かって付勢される（図６参照）。すなわち、弾性腕部５３は、電線８０の導体部８１による接触部５２への押圧力を弾性力に変換して、本体部５１に伝達するように構成されている。
【００３２】
第１爪部５４および第２爪部５５は、図２に示すように、本体部５１の端子接続面１１の近傍でかつ状態表示部４０の近傍に配置されて本体部５１の往復移動に応じて状態表示部４０の表示を接続状態と非接続状態との間で変更可能に状態表示部４０を回動させる。詳しくは、第１爪部５４および第２爪部５５は、端子接続面１１の前記第１開口部から前記第３開口部までの並んだ方向（すなわち、図２の左右方向）にそれぞれ延びていると共に、相互に間隔を空けてかつ本体部５１の往復移動により状態表示部４０の突出部４２にそれぞれ個別に接触可能に配置されている。
【００３３】
第１爪部５４は、本体部５１の往復移動する方向、すなわち、本体部５１の長手方向において端子接続面１１の近くに配置され、本体部５１の第４壁部１０４に対向する板面から第４壁部１０４に向かって突出している。また、第２爪部５５は、本体部５１の長手方向において本体部５１の第１爪部５４よりも端子接続面１１から離れて配置され、第１爪部５４と同様に、本体部５１の第４壁部１０４に対向する板面から第４壁部１０４に向かって突出している。
【００３４】
また、第１爪部５４と第２爪部５５との間に、状態表示部４０の突出部４２が配置されて、第１爪部５４および第２爪部５５のうちのいずれか一方が突出部４２と接触可能になっている。すなわち、本体部５１が端子接続面１１から離れる方向（すなわち、図２の下向き）に移動することにより、第１爪部５４が状態表示部４０の切欠部４５内で突出部４２と接触して接続状態を表示するように状態表示部４０を回動させ（図６参照）、本体部５１が端子接続面１１に近づく方向（すなわち、図２の上向き）に移動することにより、状態表示部４０の切欠部４５内で第１爪部５４が突出部４２から離れて第２爪部５５が突出部４２と接触して非接続状態を表示するように状態表示部４０を回動させる（図２参照）。
【００３５】
次に、第１開口部１１１に電線８０の導体部８１を挿入し、第２開口部１１２に治具９０を挿入したときの端子台１の動作について、図２、図６、および、図７を用いて説明する。
【００３６】
端子台１の第１開口部１１１から電線８０の導体部８１を収容部１２の第１領域１２１の電線挿入領域１００に挿入していくと、挿入された電線８０の導体部８１が、板ばね３０の弾性部３２に接触して、板ばね３０の弾性部３２を端子接続面１１から離れる方向に押圧する。これにより、板ばね３０の弾性部３２が、そのばね力に抗して弾性変形し、電線８０の導体部８１が、図６に示すように、板ばね３０の弾性部３２と端子電極部２０の第２縦板部２３との間で挟持されて、電線８０の導体部８１と端子電極部２０とが接続状態となる。
【００３７】
さらに、電線８０の導体部８１を収容部１２の第１領域１２１の電線挿入領域１００に挿入していくと、挿入された電線８０の導体部８１が、表示用可動部材５０の接触部５２の接触面５２１に接触して、図６に示すように、接触部５２が第２壁部１０２に接触するまで、表示用可動部材５０の接触部５２の接触面５２１を端子接続面１１に交差しかつ端子接続面１１から離れる方向に押圧する。
【００３８】
このとき、電線８０の導体部８１による接触部５２への押圧により、表示用可動部材５０の本体部５１が端子接続面１１に交差しかつ端子接続面１１から離れる方向に移動し、第１爪部５４が状態表示部４０の突出部４２に接触して、図２示す位置（すなわち、突出部４２が端子接続面１１に略平行に延びている位置）から図６に示す位置（すなわち、突出部４２が端子接続面１１に略直交する方向に延びている位置）まで、状態表示部４０を図２に示す平面視における反時計回りに回動させる。これにより、第３開口部１１３から接続表示領域４３の少なくとも一部が露出し、第３開口部１１３において、電線８０の導体部８１と端子電極部２０とが接続状態であることが表示される。
【００３９】
続いて、図６に示す電線８０の導体部８１と端子電極部２０とが接続状態の端子台１の第２開口部１１２から治具９０を挿入していくと、図７に示すように、治具９０の先端が、板ばね３０の弾性部３２に接触して、板ばね３０の弾性部３２をそのばね力に抗してさらに弾性変形させる。これにより、板ばね３０の弾性部３２と電線８０の導体部８１との接触が解除され、電線８０の導体部８１と端子電極部２０とが非接続状態となる。これ以降、収容部１２内の電線８０の導体部８１を収容部１２外に引き抜くことができるようになる。
【００４０】
収容部１２内の電線８０の導体部８１を収容部１２外に引き抜いたあと、収容部１２内の治具９０を収容部１２外に引き抜くと、治具９０により弾性変形していた板ばね３０の弾性部３２が、ばね力により端子電極部２０の第２縦板部２３に向かって移動して、その先端が端子電極部２０の第２縦板部２３の突出部２６に接触する図２に示す状態に復帰する。
【００４１】
このとき、電線８０の導体部８１および治具９０による接触部５２への押圧が解除され、第１可動部材用傾斜面１２６に接触して弾性変形していた弾性腕部５３が、本体部５１を端子接続面１１に向かって付勢する。これにより、本体部５１が端子接続面１１に交差しかつ端子接続面１１に接近する方向に移動して、第２爪部５５が状態表示部４０の突出部４２に接触し、図６示す位置から図２に示す位置まで、状態表示部４０を図２に示す平面視における時計回りに回動させる。その結果、第３開口部１１３から非接続表示領域４４が露出し、第３開口部１１３において、電線８０の導体部８１と端子電極部２０とが非接続状態であることが表示される。
【００４２】
第１実施形態の端子台１では、第３開口部１１３において、導体部８１と端子電極部２０とが接続状態であるか非接続状態であるかを表示する状態表示部４０を備えている。これにより、例えば、小型の端子台１であっても、収容部１２に状態表示部４０の回動領域を確保でき、正確な電線８０の接続状況を使用者に報知できる。
【００４３】
また、本体部５１が端子接続面１１に交差しかつ端子接続面１１から離れる方向に移動することにより、第１爪部５４が状態表示部４０の切欠部４５内で突出部４２と接触して接続状態を表示するように状態表示部４０を回動させ、本体部５１が端子接続面１１に交差しかつ端子接続面１１に近づく方向に移動することにより、第２爪部５５が状態表示部４０の切欠部４５内で突出部４２と接触して非接続状態を表示するように状態表示部４０を回動させる。これにより、例えば、小型の端子台１であっても、収容部１２に状態表示部４０の回動領域を十分に確保でき、より正確な電線８０の接続状況を使用者に報知できる。
【００４４】
また、状態表示部４０の接続表示領域４３が、接続状態において、第３開口部１１３の少なくとも一部から露出するように配置されている。すなわち、接続表示領域４３は、第３開口部１１３の少なくとも一部から露出すれば、電線８０の導体部８１と端子電極部２０とが接続状態であるように配置されている。これにより、さらに小型の端子台１であっても、正確な電線８０の接続状況を使用者に報知できる。
【００４５】
また、状態表示部４０の円柱体４１の一部が、第３開口部１１３からハウジング１０の外部に突出している。これにより、接続表示領域４３が視認し易くなり、より正確な電線８０の接続状況を使用者に報知できる。
【００４６】
なお、端子電極部、状態表示部、および、表示用可動部材は、第１実施形態の端子電極部２０、状態表示部４０、および、表示用可動部材５０に限らない。例えば、図９〜図１１に示す端子電極部１２０、状態表示部１４０、および、表示用可動部材１５０を採用してもよい。
【００４７】
図９に示す端子電極部１２０には、横板部２１と各縦板部２２、２３の一部とに亘って延びかつ幅方向の一方が外部に繋がっている切り欠き状の矩形貫通孔１２４が設けられている。図１０に示す状態表示部１４０は、円柱体４１の回動軸４０１方向の一部に設けられ、回動軸４０１方向に沿った平面視において、円柱体４１の面積に占める切欠部４５の比率が１／２よりも大きくなっている切欠部４５を有している。この状態表示部１４０では、切欠部１４５以外の円柱体４１の外周面に接続表示領域４３のみが設けられている。また、図１１に示す表示用可動部材１５０は、長尺棒状の本体部１５１を有している。
【００４８】
図８に示すように、図９〜図１１に示す端子電極部１２０、状態表示部１４０、および、表示用可動部材１５０を備えた端子台１では、表示用可動部材１５０の本体部１５１が、切欠部１４５を通って端子接続面１１に交差しかつ端子接続面１１から離れる方向に移動することにより、第１爪部５４が切欠部１４５内で突出部４２と接触し、本体部１５１が、切欠部１４５を通って端子接続面１１に交差しかつ端子接続面１１に近づく方向に移動することにより、切欠部１４５内で第１爪部５４が突出部４２から離れて第２爪部５５が突出部４２と接触するように配置されている。これにより、収容部１２を省スペース化することができる。
【００４９】
また、表示用可動部材５０の弾性腕部５３は、本体部５１と一体に形成されている場合に限らず、本体部５１と別体に構成してもよい。
【００５０】
また、端子接続面１１は、１つの平面で構成するものに限らず、各開口部がそれぞれまたは任意に組み合わせて配置された複数の平面で構成されていてもよい。
【００５１】
（第２実施形態）
本発明の第２実施形態の端子台１は、図１２〜図１６に示すように、第２突起部７０を有する操作感発生用可動部材６０および第１突起部６３を備えている点と、端子接続面１１の第３開口部１１３、収容部１２の第２領域１２２、状態表示部４０、および、表示用可動部材５０を備えていない点とで、第１実施形態と異なっている。
【００５２】
なお、第２実施形態では、第１実施形態と同一部分に同一参照番号を付して説明を省略し、第１実施形態と異なる点について説明する。
【００５３】
ハウジング１０の収容部１２の第２壁部１０２の内面（すなわち、収容部１２の底面）には、図１３に示すように、第４壁部１０４側端部に配置された第１収容凹部１０５と、この第１収容凹部１０５よりも第３壁部１０３側に配置された第２収容凹部１０６とが設けられている。第１収容凹部１０５は、端子接続面１１に交差（例えば、略直交）する方向に延びる一対の面の第４壁部１０４側の面が、第４壁部１０４の内面よりも外側に位置して段差部１０７を形成している。
【００５４】
また、収容部１２の傾斜壁部１４の板ばね用傾斜面１４１の第２壁部１０２側の端部には、板ばね用傾斜面１４１に開口する収容切欠部１４７が設けられている。なお、第２実施形態の端子台１では、第４壁部１０４が、電線挿入ガイド壁部１３を兼ねている。
【００５５】
操作感発生用可動部材６０は、図１３に示すように、収容部１２の端子電極部２０の近傍に配置され、かつ、端子接続面１１の第１開口部１１１および第２開口部１１２の並んだ方向に対して交差する方向（すなわち、図１３の紙面貫通方向）に延びる回動軸６０１周りに回動可能にハウジング１０に支持されていると共に、電線８０の導体部８１（図１５および図１６に示す）の第１開口部１１１から収容部１２への挿入に伴って回動して、操作感を発生可能に構成されている。
【００５６】
具体的には、操作感発生用可動部材６０は、図１４に示すように、第１開口部１１１から収容部１２に挿入された電線８０の導体部８１と接触可能な第１接触部６１と、第２開口部１１２から収容部１２に挿入された治具９０（図１６に示す）と板ばね３０の弾性部３２を介して接触可能であると共に、第１突起部６３と接触して操作感を発生させる第２突起部７０を有する第２接触部６２とを有している。第１接触部６１および第２接触部６２は、別体に構成されている。
【００５７】
第１接触部６１は、電線８０の導体部８１と接触する第１面６１１と、第１面に対向する第２面６１２とを有している。第１接触部６１の第１面６１１に、第１面６１１から端子接続面１１に向かって突出する第１突起部６３が設けられている。
【００５８】
また、第１接触部６１の第２面６１２には、収容部１２の第１収容凹部１０５に配置された移動規制部６４が設けられている。移動規制部６４は、第２面６１２から端子接続面１１に交差（例えば、略直交）しかつ端子接続面１１から離れる方向に延びる腕部６４１と、この腕部６４１から第４壁部１０４に向かって突出する突出部６４２とで構成されている。この突出部６４２と段差部１０７とで、第１接触部６１の端子接続面１１に接近する方向への移動が規制されている。すなわち、移動規制部６４により、第１接触部６１の移動範囲が第１収容凹部１０５内に規制されている。
【００５９】
第２接触部６２は、中心に回動軸６０１が配置された回動部６５と、回動部６５から回動軸６０１に直交する方向に延びる第１部材６６と、回動部６５から回動軸６０１に直交しかつ第１部材１６６の延在方向と交差する方向に延びると共に、第１接触部６１の第２面６１２に接触する第２部材６７とを有している。
【００６０】
回動部６５は、収容部１２の第２収容凹部１０６に配置されている。また、第１部材６６は、端子接続面１１に向かって延びるように配置され、第２部材６７は、第４壁部１０４に向かって延びるように配置されている。なお、第１部材６６は、図１３に示すように、電線８０の導体部８１と端子電極部２０とが非接続状態であるときに、傾斜壁部１４の収容切欠部１４７に収容されている。
【００６１】
また、第１部材６６は、第２部材６７の延在方向に沿って延びる腕部６８を有している。この腕部６８には、第１部材６６から離れた先端に第２部材６７に向かって突出する第２突起部７０が設けられている。
【００６２】
次に、第１開口部１１１に電線８０の導体部８１を挿入し、第２開口部１１２に治具９０を挿入したときの端子台１の動作について、図１３、および、図１５〜図１７を用いて説明する。
【００６３】
端子台１の第１開口部１１１から電線８０の導体部８１を収容部１２の電線挿入領域１００に挿入していくと、挿入された電線８０の導体部８１が、弾性部３２に接触して、板ばね３０の弾性部３２を端子接続面１１から離れる方向に押圧する。これにより、板ばね３０の弾性部３２が、そのばね力に抗して弾性変形し、電線８０の導体部８１が、図１５に示すように、板ばね３０の弾性部３２と端子電極部２０の第２縦板部２３との間で挟持されて、電線８０の導体部８１と端子電極部２０とが接続状態となる。
【００６４】
さらに、電線８０の導体部８１を収容部１２の電線挿入領域１００に挿入していくと、挿入された電線８０の導体部８１が、操作感発生用可動部材６０の第１接触部６１に接触して、図１５に示すように、第１接触部６１の第２面６１２が第２壁部１０２に接触するまで、操作感発生用可動部材６０の第１接触部６１を端子接続面１１に交差しかつ端子接続面１１から離れる方向に押圧する。
【００６５】
このとき、電線８０の導体部８１による第１接触部６１の押圧により、第２接触部６２の第２部材６７が端子接続面１１に交差しかつ端子接続面１１から離れる方向に押圧され、図１３に示す位置（すなわち、第１部材６６が傾斜壁部１４の収容切欠部１４７に収容されている位置）から図１５に示す位置（すなわち、第１部材６６が端子接続面１１に略直交する方向に延びている位置）まで、第２接触部６２を図１３に示す平面視における時計回りに回動させる。
【００６６】
電線８０の導体部８１と端子電極部２０とが非接続状態から接続状態になった以降の第２接触部６２の回動中に、第２接触部６２の第１部材６６の第２突起部７０が、第１接触部６１の第１突起部６３と接触して操作感を発生させる。すなわち、操作感により、導体部８１と端子電極部２０とが非接続状態から接続状態になったことが使用者に報知される。なお、この操作感は、第２突起部７０が第１突起部６３に接触して第１突起部６３を乗り越えるまでにおける電線８０の導体部８１の収容部１２への挿入荷重の変化と、第２突起部７０が第１接触部６１を乗り越えたときに第１接触部６１の第１面６１１とが衝突して発生する衝突音とにより形成される。
【００６７】
続いて、図１５に示す電線８０の導体部８１と端子電極部２０とが接続状態の端子台１の第２開口部１１２から治具９０を挿入していくと、図１６に示すように、治具９０の先端が、板ばね３０の弾性部３２に接触して、板ばね３０の弾性部３２をそのばね力に抗してさらに弾性変形させる。これにより、板ばね３０の弾性部３２と電線８０の導体部８１との接触が解除され、電線８０の導体部８１と端子電極部２０とが非接続状態となる。これ以降、収容部１２内の電線８０の導体部８１を収容部１２外に引き抜くことができるようになる。
【００６８】
このとき、第２接触部６２の第１部材６６が、治具９０により、板ばね３０を介して傾斜壁部１４の板ばね用傾斜面１４１に向かって押圧され、図１５に示す位置から図１３に示す位置まで、第２接触部６２を図１３に示す平面視における反時計回りに回動させる。これにより、第２接触部６２の第１部材６６が傾斜壁部１４の収容切欠部１４７に収容されて、操作感発生用可動部材６０が図１３に示す状態に復帰する。
【００６９】
また、図１７に、図１５に示す位置まで電線８０の導体部８１を収容部１２に挿入するときの挿入荷重の変化を示す。図１７の縦軸は、電線８０の導体部８１の先端にかかる荷重を示し、図１７の横軸は、端子接続面１１を基準（＝変位量ゼロ）としたときの電線８０の導体部８１の先端の位置を示している。
【００７０】
図１７に示すように、電線８０の導体部８１の先端にかかる加重は、第１開口部１１１から収容部１２に導体部８１を挿入していくにつれて大きくなり、導体部８１の先端が板ばね３０の弾性部３２の先端と接触して、導体部８１と端子電極部２０とが接続状態になったときに（すなわち、変位量Ａの位置で）、第１のピークに達する。
【００７１】
さらに、導体部８１を収容部１２に挿入していくと、導体部８１の先端が板ばね３０の弾性部３２の先端を超えたときに、導体部８１の先端にかかる荷重が一気に小さくなり、そのまま暫く横ばい状態が続く。
【００７２】
そして、導体部８１の収容部１２への挿入により第２接触部６２が回動し、第２接触部６２の第１部材６６の第２突起部７０が第１接触部６１の第１突起部６３と接触して第１突起部６３を乗り越える直前（すなわち、変位量Ｂの位置）で、導体部８１の先端にかかる荷重が第２のピークも達する。
【００７３】
その後、さらに導体部８１を収容部１２に挿入して、第２突起部７０が第１突起部６３を乗り越えると、導体部８１の先端にかかる加重が一気に小さくなり、第１接触部６１が第２壁部１０２に接触して（＝変位量Ｃの位置）、導体部８１の収容部１２への挿入が完了する。
【００７４】
第２実施形態の端子台１によれば、導体部８１の第１開口部１１１から収容部１２への挿入に伴って回動可能な操作感発生用可動部材６０と、導体部８１と端子電極部２０とが非接続状態から接続状態になった以降に、導体部８１の第１開口部１１１から収容部１２への挿入により回動中の操作感発生用可動部材６０と接触可能に配置されている第１突起部６３とを備え、操作感発生用可動部材６０に、第１突起部６３と接触して操作感を発生させる第２突起部７０が設けられている。これにより、例えば、暗い作業環境で電線８０を端子台１に接続する場合であっても、第１突起部６３と第２突起部７０との接触により発生した操作感により、電線８０の接続状況を使用者に正確に報知できる。
【００７５】
また、第１接触部６１と第２接触部６２とが、別体に構成されている。これにより、例えば、第１接触部６１と第２接触部６２とをそれぞれ異なる材料で構成することができ、第２突起部７０が第１接触部６１を乗り越えたときに第１接触部６１の第１面６１１とが衝突して発生する衝突音を容易に調整できる。
【００７６】
なお、操作感発生用可動部材６０は、第１接触部６１と第２接触部６２とが別体に構成されている場合に限らない。例えば、図１８〜図２１に示すように、第１接触部６１と第２接触部６２とを一体に構成することができる。この場合、図１９に示すように、第１接触部６１が第２接触部６２の第２部材６７と一体に形成され、第２接触部６２の第２部材６６に、回動部６５に対して第１接触部６１（または、第２部材６７）とは反対方向（すなわち、図１６の左向き）に延びる腕部１６８を有し、この腕部１６８の第２接触部６２から離れた先端に第２接触部６２の延在方向かつ回動部６５に近づく方向に突出する第２突起部７０が設けられている。また、収容部１２の傾斜壁部１４の収容切欠部１４７における第２壁部１０２側の開口縁に、端子接続面１１に向かって突出する第１突起部６３が設けられている。なお、第２壁部１０２には、第１収容凹部１０５は設けられておらず、第２収容凹部１０６のみが設けられている。
【００７７】
このように、第１接触部６１と第２接触部６２とを一体に構成することで、端子台１の部品点数を削減できる。これにより、端子台１の組立が容易になると共に、製造コストを低減できる。
【００７８】
（第３実施形態）
本発明の第３実施形態の端子台１は、図２２〜図２４に示すように、第１実施形態の端子接続面１１の第３開口部１１３、収容部１２の第２領域１２２、状態表示部４０、および、表示用可動部材５０を備えつつ、第２実施形態の突起部７０を有する操作感発生用可動部材６０を備えた点で、第１実施形態および第２実施形態と異なっている。
【００７９】
なお、第３実施形態では、第１実施形態および第２実施形態と同一部分に同一参照番号を付して説明を省略し、第１実施形態および第２実施形態と異なる点について説明する。
【００８０】
第３実施形態の端子台１では、表示用可動部材５０の接触部５２が、操作感発生用可動部材６０の第１接触部６１を兼ねている。すなわち、表示用可動部材５０の接触部５２の接触面５２１に、第１突起部６３が設けられている。
【００８１】
このように、端子台１が、状態表示部４０および表示用可動部材５０と、第２実施形態の第２突起部７０を有する操作感発生用可動部材６０および第１突起部６３とを備えることにより、電線８０の導体部８１と端子電極部２０との接続状況が、状態表示部４０による表示に加えて、操作感発生用可動部材６０の第２突起部７０と第１突起部６３との接触による操作感の発生により、電線８０の接続状況を使用者に報知できる。このため、例えば、騒音および振動が大きい作業環境で電線８０を端子台１に接続する場合であっても、また、暗い作業環境で電線８０を端子台１に接続する場合であっても、正確な電線８０の接続状況を使用者に報知できる。
【００８２】
なお、状態表示部４０による接続状態の報知と、操作感発生用可動部材６０の第２突起部７０と第１突起部６３との接触による操作感の発生による接続状態の報知とは、例えば、表示用可動部材５０の第１爪部５４と状態表示部４０の突出部４２とが接触するタイミングを調整することで、任意の順序で行うことができる。
【００８３】
例えば、明るいが騒音および振動が大きい作業環境では、状態表示部４０による表示を先に行い、操作感発生用可動部材６０の第２突起部７０と第１突起部６３との接触による操作感を後で発生させることで、視認性を優先した報知を行うことができる。また、暗いが騒音および振動が小さい作業環境では、操作感発生用可動部材６０の第２突起部７０と第１突起部６３との接触による操作感を先に発生させ、状態表示部４０による表示を後で行うことで、操作感を優先した報知を行うことができる。さらに、状態表示部４０による表示と、操作感発生用可動部材６０の第２突起部７０と第１突起部６３との接触による操作感の発生とを同時に行うことで、複数の感覚に訴える報知を行うことができる。
【００８４】
（第４実施形態）
本発明の第４実施形態の端子台１は、図２５〜図３３に示すように、状態表示部４０が、治具９０が挿抜可能な第２開口部１１２に隣接する位置に設けられている点で、第１実施形態と異なっている。
【００８５】
なお、第４実施形態では、第１実施形態と同一部分に同一参照番号を付して説明を省略し、第１実施形態と異なる点について説明する。
【００８６】
図２６および図２７に示すように、第４実施形態の端子台１では、端子電極部２０の横板部２１が、端子接続面１１に直交し、かつ、ハウジング１０の厚さ方向に直交する方向に延びている。このため、第４実施形態の端子台１では、第２隙間形成面１４３と第２壁部１０２との間に設けられている隙間１４５には、端子電極部２０ではなく、表示用可動部材５０の接触部５２が配置されている。
【００８７】
また、端子接続面１１では、第２開口部１１２に、第１開口部１１１および第３開口部１１３の各々が隣接しており、第１開口部１１１が、端子接続面１１の第３壁部１０３側に配置され、第３開口部１１３が、端子接続面１１の第４壁部１０４側に配置されている。すなわち、第４実施形態の端子台１では、第３壁部１０３が、電線挿入ガイド壁部１３を兼ねている。
【００８８】
さらに、収容部１２には、第１領域１２１と第２領域１２２とを仕切る仕切壁部１５が設けられており、仕切壁部１５と第２壁部１０２との間には、第１領域１２１と第２領域１２２とに繋がっている第１通路部１２３が設けられている。
【００８９】
また、仕切壁部１５と傾斜壁部１４の第１隙間形成面１４２との間に、端子電極部２０の第１縦板部２２と板ばね３０の固定部３１とが配置されている。仕切壁部１５には、端子電極部２０の第１縦板部２２を収容可能な切欠部１５１が設けられている。切欠部１５１の内部には、第１縦板部２２を位置決めする突起部１５２が設けられている。この突起部１５２は、第１縦板部２２の先端面から横板部２１に直交する方向に延びる溝部２２１（図２８に示す）に対して挿入可能に設けられている。
【００９０】
図２９に示すように、状態表示部４０には、円柱体４１の回動軸方向の一端面から回動軸方向に突出する回動軸部４６が設けられている。この回動軸部４６は、先細り形状の先端部４６１と、回動軸部４６の延在方向の中間に設けられた環状凹部４６２とを有し、図２５に示すように、ハウジング１０の第３開口部１１３に設けられ、ハウジング１０をその板厚方向に貫通する貫通孔１６に挿入されている。なお、貫通孔１６の内周面には、環状凹部４６２に係合可能な係合突起（図示せず）が設けられ、回動軸部４６を回動可能に支持している。
【００９１】
図３０に示すように、表示用可動部材５０は、端子接続面１１に交差する方向に延びる略矩形板状の本体部５１と、本体部５１の端子接続面１１に近い方の端部（すなわち、図３０の上端）に設けられた第１爪部５４および第２爪部５５と、本体部５１の延在方向における端子接続面１１から遠い方の端部（すなわち、図３０の下端）に設けられた接続部５８と、接続部５８の延在方向における本体部５１から遠い方向の端部に設けられた接触部５２とを有している。
【００９２】
接触部５２は、本体部５１の延在方向に対して交差しかつ端子接続面１１に接近するにつれて本体部５１から離れる方向に延びている。また、接触部５２の延在方向における本体部５１に近い方の端部のハウジング１０の第２壁部１０２に対向する面には、回動支点部５７が設けられている。この回動支点部５７は、第１開口部１１１から収容部１２に挿入された電線８０の導体部８１が接触面５２１に接触して、接触部５２が収容部１２の底面に向かって押圧されたときに、ハウジング１０の第２壁部１０２に接触して表示用可動部材５０の回動支点となるように設けられている。
【００９３】
なお、表示用可動部材５０は、回動支点部５７から本体部５１の端子接続面１１に近い方の端部までの距離が、回動支点部５７から接触部５２の本体部５１から遠い方の端部までの距離よりも長くなるように構成されている。
【００９４】
ここで、図２７および図３１〜図３３を参照して、電線８０の導体部８１を収容部１２の第１領域１２１の電線挿入領域１００に挿入したときの状態表示部４０および表示用可動部材５０の動作について説明する。
【００９５】
図２７に示す端子台１の第１開口部１１１から電線８０の導体部８１を収容部１２の第１領域１２１の電線挿入領域１００に挿入していくと、図３１に示すように、挿入された電線８０の導体部８１が、表示用可動部材５０の接触部５２の接触面５２１に接触する。そして、接触部５２が第２壁部１０２に接触するまで、表示用可動部材５０の接触部５２の接触面５２１が、電線８０の導体部８１によって、端子接続面１１に交差しかつ端子接続面１１から離れる方向に押圧される。
【００９６】
電線８０の導体部８１による接触部５２への押圧により、本体部５１が、回動支点部５７を中心として図３１に示す平面視おける反時計回りに回動して、端子接続面１１に交差しかつ端子接続面１１に接近する方向に移動する。すなわち、接触部５２は、電線８０の導体部８１による接触部５２への押圧力を本体部５１に伝達して、本体部５１を端子接続面１１に交差しかつ端子接続面１１に接近する方向に移動させる力伝達部を兼ねている。
【００９７】
このとき、本体部５１が、端子接続面１１に交差しかつ端子接続面１１に接近する方向に移動して、第１爪部５４が状態表示部４０の切欠部４５に接触する。これにより、本体部５１が、図３２に示す位置（すなわち、突出部４２が、端子接続面１１に略直交する方向に延びている位置）から図３３に示す位置（すなわち、突出部４２が、端子接続面１１に略平行な方向に延びて、第１爪部５４と第２爪部５５との間に配置されている位置）まで、状態表示部４０を図３１に示す平面視における反時計回りに回動させる。その結果、第３開口部１１３から接続表示領域４３の少なくとも一部が露出し、第３開口部１１３において、電線８０の導体部８１と端子電極部２０とが接続状態であることが表示される。
【００９８】
また、第２開口部１１２に治具を挿入して、収容部１２内の電線８０の導体部８１を収容部１２外に引き抜くと、電線８０の導体部８１による接触部５２への押圧が解除され、本体部５１および接続部５８の自重により、本体部５１が、端子接続面１１に交差しかつ端子接続面１１から離れる方向に付勢され、回動支点部５７を中心として図３１に示す平面視おける時計回りに回動して、表示用可動部材５０が図２７に示す状態に復帰する。
【００９９】
このとき、本体部５１が。端子接続面１１に交差しかつ端子接続面１１から離れる方向に移動して、第２爪部５５が状態表示部４０の突出部４２に接触する。これにより、本体部５１が、図３３に示す位置から図３３に示す位置まで、状態表示部４０を図３１に示す平面視における時計回りに回動させる。その結果、第３開口部１１３から非接続表示領域４４が露出し、第３開口部１１３において、電線８０の導体部８１と端子電極部２０とが非接続状態であることが表示される。
【０１００】
なお、本体部５１の接続部５８が接続されている側の端部には、端子接続面１１から離れるにつれて本体部５１から離れる方向に傾斜する傾斜面５１１が設けられている。これにより、電線８０の導体部８１により接触部５２が収容部１２の底面に向かって押圧されたときに、本体部５１の端子接続面１１に接近する方向への移動がスムーズになる。
【０１０１】
また、仕切壁部１５と第２壁部１０２および第４壁部１０４との間には、本体部５１が、回動支点部５７を中心に回動したときに、端子接続面１１に交差しかつ端子接続面１１に接近または開離する方向に移動して、状態表示部４０を回動させることができる空間が設けられている。
【０１０２】
第４実施形態の端子台１では、ハウジング１０の第３開口部１１３が、第２開口部１１２に隣接するように配置されている。これにより、電線８０が挿入される第１開口部１１１と状態表示部４０が設けられた第３開口部１１３との間に距離を設けることができるので、例えば、電線８０の導体部８１を第１開口部１１１に挿入するときに使用者の手などで状態表示部４０が隠れ難くなり、状態表示部４０の確認が容易になる。その結果、正確な電線の接続状況を使用者に報知できる。
【０１０３】
また、表示用可動部材５０の接触部５２が、本体部５１の延在方向に対して交差し、かつ、端子接続面１１に接近するにつれて本体部５１から離れるように延びていると共に、接触部５２の延在方向の本体部５１側の端部に、ハウジング１０と接触して表示用可動部材５０の回動支点となる回動支点部５７が設けられ、接触部５２が力伝達部を兼ねている。これにより、簡単な構成で、電線８０の導体部８１を第１開口部１１１に挿入するときにおける状態表示部４０の確認を容易にして、正確な電線の接続状況を使用者に報知できる。
【０１０４】
以上、図面を参照して本発明における種々の実施形態を詳細に説明したが、最後に、本発明の種々の態様について説明する。
【０１０５】
本発明の第１態様の端子台は、
電線の導体部が挿抜可能な第１開口部、前記第１開口部に隣接しかつ治具が挿抜可能な第２開口部、および、第３開口部が直線的に並んで設けられた端子接続面と、内部に設けられかつ前記第１開口部、前記第２開口部、および、前記第３開口部に接続された収容部とを有する絶縁性のハウジングと、
前記収容部に配置されかつ前記第１開口部から前記収容部に挿入された前記導体部が接触可能な端子電極部と、
前記ハウジングに固定された一端の固定部と、前記固定部に対して弾性変形可能な他端の弾性部とを有し、前記弾性部が、前記第１開口部から前記収容部に挿入された前記導体部を前記端子電極部との間で挟持して前記導体部と前記端子電極部とを接続状態にすると共に、前記第２開口部から前記収容部に挿入された前記治具に接触し前記弾性部と前記導体部との接触を解除して前記導体部と前記端子電極部とを非接続状態にするように、前記収容部内に配置された板ばねと、
前記収容部の前記端子接続面の近傍に配置されかつ前記端子接続面の前記第１開口部から前記第３開口部までの並んだ方向に対して交差する方向に延びる回動軸まわりを回動可能に前記ハウジングに支持されていると共に、前記第３開口部において、前記導体部と前記端子電極部とが前記接続状態であるか前記非接続状態であるかを表示する状態表示部と、
前記端子接続面に交差する方向に沿って延びかつ前記端子接続面に交差する方向に往復移動可能な本体部と、前記端子電極部の近傍に配置されかつ前記第１開口部から前記収容部に挿入された前記導体部と接触可能な接触部と、前記本体部に接続されかつ前記第１開口部から前記収容部に前記導体部が挿入されたときに前記端子接続面に向かって前記本体部を移動させる力伝達部と、前記本体部の前記端子接続面の近傍でかつ前記状態表示部の近傍に配置されて前記本体部の往復移動に応じて前記状態表示部の表示を前記接続状態と前記非接続状態との間で変更可能に前記状態表示部を回動させる回動機構部とを有し、前記収容部に配置された表示用可動部材と、
を備える。
【０１０６】
第１態様の端子台によれば、第３開口部において、導体部と端子電極部とが接続状態であるか非接続状態であるかを表示する状態表示部を備えている。これにより、例えば、小型の端子台であっても、収容部に状態表示部の回動領域を確保でき、正確な電線の接続状況を使用者に報知できる。
【０１０７】
本発明の第２態様の端子台は、
前記状態表示部が、
外周の一部に設けられかつ中心軸に沿って延びる切欠部を有し、前記中心軸が前記回動軸を構成する円柱体と、
前記切欠部の前記外周の中間部に設けられ前記回動軸に交差する方向に突出する突出部と、
を有し、
前記表示用可動部材の前記回動機構部が、
前記端子接続面の前記第１開口部から前記第３開口部までの並んだ方向にそれぞれ延びていると共に、相互に間隔を空けてかつ前記本体部の往復移動により前記突出部にそれぞれ個別に接触可能に配置された第１爪部および第２爪部を有し、
前記本体部の往復移動する方向において前記第１爪部が前記第２爪部よりも前記端子接続面の近くに配置され、前記第１爪部と前記第２爪部との間に前記突出部が配置されて、前記第１爪部および前記第２爪部のうちのいずれか一方が前記突出部と接触可能であり、
前記本体部が前記端子接続面から離れる方向に移動することにより前記第１爪部が前記切欠部内で前記突出部と接触して前記接続状態を表示するように前記状態表示部を回動させ、前記本体部が前記端子接続面に近づく方向に移動することにより前記切欠部内で前記第１爪部が前記突出部から離れて前記第２爪部が前記突出部と接触して前記非接続状態を表示するように前記状態表示部を回動させる。
【０１０８】
第２態様の端子台によれば、例えば、小型の端子台であっても、収容部に状態表示部の回動領域を十分に確保でき、より正確な電線の接続状況を使用者に報知できる。
【０１０９】
本発明の第３態様の端子台は、
前記表示用可動部材の前記本体部が、前記切欠部を通って前記端子接続面から離れる方向に移動することにより、前記第１爪部が前記切欠部内で前記突出部と接触し、前記本体部が、前記切欠部を通って前記端子接続面に近づく方向に移動することにより、前記切欠部内で前記第１爪部が前記突出部から離れて前記第２爪部が前記突出部と接触するように配置されている。
【０１１０】
第３態様の端子台によれば、表示用可動部材の本体部が状態表示部の切欠部を通って往復移動するので、収容部を省スペース化することができる。これにより、例えば、小型の端子台であっても、収容部に状態表示部の回動領域を十分に確保でき、より正確な電線の接続状況を使用者に報知できる。
【０１１１】
本発明の第４態様の端子台は、
前記状態表示部が、前記切欠部以外の前記円柱体の前記外周に前記接続状態であることを表示する接続表示領域を有し、
前記接続表示領域が、前記接続状態において、前記第３開口部の少なくとも一部から露出するように配置されている。
【０１１２】
第４態様の端子台によれば、さらに小型の端子台であっても、正確な電線の接続状況を使用者に報知できる。
【０１１３】
本発明の第５態様の端子台は、
前記状態表示部の前記円柱体の前記外周の一部が、前記第３開口部から前記ハウジングの外部に突出している。
【０１１４】
第５態様の端子台によれば、接続表示領域が視認し易くなり、より正確な電線の接続状況を使用者に報知できる。
【０１１５】
本発明の第６態様の端子台は、
前記収容部の前記端子電極部の近傍に配置されかつ前記端子接続面の前記第１開口部から前記第３開口部までの並んだ方向に対して交差する方向に延びる回動軸周りに回動可能に前記ハウジングに支持されていると共に、前記導体部の前記第１開口部から前記収容部への挿入に伴って回動して操作感を発生させる操作感発生用可動部材と、
前記導体部と前記端子電極部とが前記非接続状態から前記接続状態になった以降に、前記導体部の前記第１開口部から前記収容部への挿入により回動中の前記操作感発生用可動部材と接触可能に、前記収容部に配置されている第１突起部と、
を備え、
前記操作感発生用可動部材が、
前記第１開口部から前記収容部に挿入された前記導体部と接触可能な第１接触部と、
前記第２開口部から前記収容部に挿入された前記治具と前記弾性部を介して接触回動可能であると共に、前記第１突起部と接触して操作感を発生させる第２突起部を有する第２接触部と、
を有する。
【０１１６】
第６態様の端子台によれば、例えば、騒音および振動が大きい作業環境で電線を端子台に接続する場合であっても、また、暗い作業環境で電線を端子台に接続する場合であっても、正確な電線の接続状況を使用者に報知できる。
【０１１７】
本発明の第７態様の端子台は、
前記ハウジングの前記第３開口部が、前記第２開口部に隣接するように配置されている。
【０１１８】
第７態様の端子台によれば、電線が挿入される第１開口部と状態表示部が設けられた第３開口部との間に距離を設けることができるので、例えば、電線の導体部を第１開口部に挿入するときに使用者の手などで状態表示部が隠れ難くなり、状態表示部の確認が容易になる。その結果、正確な電線の接続状況を使用者に報知できる。
【０１１９】
本発明の第８態様の端子台は、
前記表示用可動部材の前記接触部が、前記本体部の延在方向に対して交差し、かつ、前記端子接続面に接近するにつれて前記本体部から離れるように延びていると共に、前記接触部の延在方向の前記本体部側の端部に、前記ハウジングと接触して前記表示用可動部材の回動支点となる回動支点部が設けられ、
前記接触部が前記力伝達部を兼ねている。
【０１２０】
第８態様の端子台によれば、簡単な構成で、電線の導体部を第１開口部に挿入するときにおける状態表示部の確認を容易にして、正確な電線の接続状況を使用者に報知できる。
【０１２１】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【０１２２】
本発明は、例えば、ＤＩＮレール取り付けタイプの端子台に適用できる。
【符号の説明】
【０１２３】
１  端子台
１０  ハウジング
１０１  第１壁部
１０２  第２壁部
１０３  第３壁部
１０４  第４壁部
１０５  第１収容凹部
１０６  第２収容凹部
１０７  段差部
１１  端子接続面
１１１  第１開口部
１１２  第２開口部
１１３  第３開口部
１２  収容部
１２１  第１領域
１２２  第２領域
１２３  第１通路部
１２４  第２通路部
１２５  表示収容部
１２６  第１可動部材用傾斜面
１２７  第２可動部材用傾斜面
１３  電線挿入ガイド壁部
１４  傾斜壁部
１４１  板ばね用傾斜面
１４２  第１隙間形成面
１４３  第２隙間形成面
１４４、１４５  隙間
１４６  貫通孔
１４７  収容切欠部
１５  仕切壁部
１５１  切欠部
１５２  突起部
１６  貫通孔
２０、１２０  端子電極部
２１  横板部
２２  第１縦板部
２２１  溝部
２３  第２縦板部
２４、１２４  矩形貫通孔
２５  固定用孔
２６  突出部
３０  板ばね
３１  固定部
３２  弾性部
３３  湾曲部
４０、１４０  状態表示部
４０１  回動軸
４１  円柱体
４２  突出部
４３  接続表示領域
４４  非接続表示領域
４５  切欠部
４６  回動軸部
４６１  先端部
４６２  環状凹部
５０、１５０  表示用可動部材
５１、１５１  本体部
５１１  傾斜面
５２  接触部
５２１  接触面
５３  弾性腕部（力伝達部の一例である付勢部の一例）
５４  第１爪部（回動機構部の一例）
５５  第２爪部（回動機構部の一例）
５６  貫通孔
５７  回動支点部
５８  接続部
６０  操作感発生用可動部材
６０１  回動軸
６１  第１接触部
６１１  第１面
６１２  第２面
６２  第２接触部
６３  第１突起部
６４  移動規制部
６５  回動部
６６  第１部材
６７  第２部材
６８、１６８  腕部
６４１  腕部
６４２  突出部
７０  第２突起部
８０  電線
８１  導体部
９０  治具
１００  電線挿入領域
１１０  治具挿入領域
【図１】
2018142527.tif 000003
【図２】
2018142527.tif 000004
【図３】
2018142527.tif 000005
【図４】
2018142527.tif 000006
【図５】
2018142527.tif 000007
【図６】
2018142527.tif 000008
【図７】
2018142527.tif 000009
【図８】
2018142527.tif 000010
【図９】
2018142527.tif 000011
【図１０】
2018142527.tif 000012
【図１１】
2018142527.tif 000013
【図１２】
2018142527.tif 000014
【図１３】
2018142527.tif 000015
【図１４】
2018142527.tif 000016
【図１５】
2018142527.tif 000017
【図１６】
2018142527.tif 000018
【図１７】
2018142527.tif 000019
【図１８】
2018142527.tif 000020
【図１９】
2018142527.tif 000021
【図２０】
2018142527.tif 000022
【図２１】
2018142527.tif 000023
【図２２】
2018142527.tif 000024
【図２３】
2018142527.tif 000025
【図２４】
2018142527.tif 000026
【図２５】
2018142527.tif 000027
【図２６】
2018142527.tif 000028
【図２７】
2018142527.tif 000029
【図２８】
2018142527.tif 000030
【図２９】
2018142527.tif 000031
【図３０】
2018142527.tif 000032
【図３１】
2018142527.tif 000033
【図３２】
2018142527.tif 000034
【図３３】
2018142527.tif 000035